(57)【要約】  光ディスク製造装置（２００）においては、移動機構（２０８）は、（ｉ）レーザ照射部（２０３）が光ディスク（１０１）の内周側領域（１０９）の位置から識別情報記録領域（１１０）の位置に移動する間における第１の半径位置（Ｒ２ａ）において、レーザ照射部（２０３）の移動速度を第１の速度（Ｖｉ）から第２の速度（Ｖｓ）に変更し、（ｉｉ）レーザ照射部（２０３）が第２の速度（Ｖｓ）で識別情報記録領域（１１０）の位置に至った第２の半径位置（Ｒ２）において、同移動速度を第２の速度（Ｖｓ）から第３の速度（Ｖｉ）に変更する。第２の速度（Ｖｓ）は、第１の速度及び第３の速度よりも遅く設定される。レーザ照射部（２０３）は、識別情報記録領域（１１０）を移動するとき、記録層（１０４）が結晶化するのに必要な第１のパワー（Ｐａ）と結晶化させない程度に低い第２のパワー(Ｐｂ)とを交互に切り換えながらレーザ光を照射して識別情報を記録する。
2013021557.tif 000002
【特許請求の範囲】
【請求項１】
相変化光ディスクであり、前記光ディスクの識別情報記録領域と、前記識別情報記録領域の半径方向内側に配される内周側領域と、前記識別情報記録領域の半径方向外側に配される外周側領域とを含む一以上の記録層を有する光ディスクを製造する、光ディスク製造装置であって、
前記光ディスクの前記記録層に対しレーザ光を照射するレーザ光照射部と、
前記レーザ照射部を前記光ディスクの半径方向に移動させる移動機構と、
前記光ディスクを回転させる回転機構と、
前記レーザ照射部、前記移動機構及び前記回転機構を制御する制御部と、
を備え、
前記制御部の指令に応じて、
前記回転機構により前記光ディスクを回転させつつ、前記レーザ照射部により前記記録層が結晶化するのに必要な第１のパワーでレーザ光を同記録層に照射し、
前記移動機構は、（ｉ）前記レーザ照射部が前記光ディスクの前記内周側領域の位置から前記識別情報記録領域の位置に移動する間における第１の半径位置において、前記レーザ照射部の移動速度を第１の速度から第２の速度に変更し、（ｉｉ）前記レーザ照射部が前記第２の速度で前記識別情報記録領域の位置に至った第２の半径位置において、前記レーザ照射部の移動速度を前記第２の速度から第３の速度に変更し、
前記第２の速度は、前記第１の速度及び前記第３の速度よりも遅く設定され、
前記レーザ照射部は、前記識別情報記録領域を移動するとき、前記第１のパワーと前記記録層を結晶化させない程度に低い第２のパワーとを交互に切り換えながらレーザ光を照射することにより、前記識別情報を記録する、
光ディスク製造装置。
【請求項２】
前記第１の半径位置及び前記第２の速度のうち少なくとも一方は、前記レーザ照射部が前記第２の速度で前記第１の半径位置から前記第２の半径位置に移動する間に前記回転機構が前記光ディスクを少なくとも１回転させるように、設定されている、
請求項１に記載の光ディスク製造装置。
【請求項３】
前記制御部の指令に応じて、
前記移動機構は更に、（ｉ）前記レーザ照射部が前記識別情報記録領域の位置から前記外周側領域の位置に至った第３の半径位置において、前記レーザ照射部の移動速度を前記第３の速度から第４の速度に変更し、（ｉｉ）前記レーザ照射部が前記第４の速度で前記外周側領域を移動する間における第４の半径位置において、前記レーザ照射部の移動速度を前記第４の速度から第５の速度に変更し、
前記第４の速度は、前記第１の速度、前記第３の速度及び前記第５の速度よりも遅く設定される、
請求項１又は２に記載の光ディスク製造装置。
【請求項４】
前記第４の半径位置及び前記第４の速度のうち少なくとも一方は、前記レーザ照射部が前記第４の速度で前記第３の半径位置から前記第４の半径位置に移動する間に前記回転機構が前記光ディスクを少なくとも１回転させるように、設定されている、
請求項３に記載の光ディスク製造装置。
【請求項５】
前記光ディスクは、複数の記録層を有し、
前記レーザ照射部は、前記複数の記録層のうち、レーザ光照射側から最も遠い位置にある第１の記録層に前記識別情報を記録する、
請求項１から４のいずれかに記載の光ディスク製造装置。
【請求項６】
前記第１の速度、前記第３の速度、及び前記第５の速度は同じ速度に設定され、
前記第２の速度及び前記第４の速度は同じ速度に設定される、
請求項１から５のいずれかに記載の光ディスク製造装置。
【請求項７】
前記制御部は、
前記光ディスクの前記内周側領域の内側端に対して、フォーカス引き込みのための第３のパワーで前記レーザ照射部によりレーザ光を照射し、
前記フォーカス引き込み後、フォーカスサーボを開始し、
前記フォーカスサーボを行いつつ、前記レーザ照射部により前記内周側領域に対して前記第１のパワーによるレーザ光の照射を開始する、
請求項１から６のいずれかに記載の光ディスク製造装置。
【請求項８】
相変化光ディスクであり、前記光ディスクの識別情報記録領域と、前記識別情報記録領域の半径方向内側に配される内周側領域と、前記識別情報記録領域の半径方向外側に配される外周側領域とを含む一以上の記録層を有する光ディスクを製造する、光ディスク製造方法であって、
回転機構により前記光ディスクを回転させつつ、前記記録層が結晶化するのに必要な第１のパワーでレーザ光を同記録層に照射し、
移動機構により前記光ディスクの半径方向にレーザ光を移動させ、
前記移動機構によりレーザ光が前記光ディスクの前記内周側領域の位置から前記識別情報記録領域の位置に移動する間における第１の半径位置において、レーザ光の移動速度を第１の速度から前記第１の速度よりも遅い第２の速度に変更し、
前記移動機構によりレーザ光が前記第２の速度で前記識別情報記録領域に至った第２の半径位置において、レーザ光の移動速度を前記第２の速度から前記第２の速度よりも速い第３の速度に変更し、
前記移動機構によりレーザ光が前記識別情報記録領域を移動するとき、第１のパワーと前記記録層を結晶化させない程度に低い第２のパワーとを交互に切り換えながらレーザ光を照射することにより、前記識別情報を記録する、
光ディスク製造方法。
【請求項９】
前記移動機構によりレーザ光が前記第２の速度で前記第１の半径位置から前記第２の半径位置に移動する間に、前記回転機構により前記光ディスクを少なくとも１回転させる、
請求項８に記載の光ディスク製造方法。
【請求項１０】
更に、
前記移動機構によりレーザ光が前記識別情報記録領域の位置から前記外周側領域の位置に至った第３の半径位置において、レーザ光の移動速度を前記第３の速度から、前記第１の速度及び前記第３の速度よりも遅い第４の速度に変更し、
前記移動機構によりレーザ光が前記第４の速度で前記外周側領域を移動する間における第４の半径位置において、レーザ光の移動速度を前記第４の速度から、前記第２の速度及び前記第４の速度よりも速い第５の速度に変更する、
請求項８又は９に記載の光ディスク製造方法。
【請求項１１】
前記移動機構によりレーザ光が前記第４の速度で前記第３の半径位置から前記第４の半径位置に移動する間に、前記回転機構により前記光ディスクを少なくとも１回転させる、
請求項８から１０のいずれかに記載の光ディスク製造方法。
【請求項１２】
更に、
前記光ディスクの前記内周側領域の内側端に対して、フォーカス引き込みのための第３のパワーでレーザ光を照射し、
前記フォーカス引き込み後、フォーカスサーボを開始し、
前記フォーカスサーボを行いつつ、前記内周側領域に対して前記第１のパワーによるレーザ光の照射を開始する、
請求項８から１１のいずれかに記載の光ディスク製造方法。
【発明の詳細な説明】
【技術分野】
【０００１】
本開示は、光ディスクの製造に関し、特にレーザ光を照射して光ディスクの記録層を初期化するとともに、光ディスクの識別情報を記録する光ディスク製造装置及び光ディスク製造方法に関する。
【背景技術】
【０００２】
従来、光ディスクの不正コピー防止のために、光ディスクの最内周部のＢＣＡ（バーストカッティングエリア）領域にバーコード状のデータを記録することが行われている。このバーコード状のデータはシリアルナンバーや識別番号などの個別情報であり、これらの情報を用いて光ディスクを管理し、光ディスクの不正コピーを防止するものである。
このバーコード状のデータであるＢＣＡコードは、間隔が異なる複数のバーで構成されるデータであり、ＢＣＡデータを所定のデータ変換により変換したデータである。ＢＣＡデータは、ＢＣＡコードの元データであり、連続番号や識別番号などからなる個別情報である。【０００３】
記録面の結晶状態でデータを判別する相変化型光ディスクの製造工程において、光ディスクは、スパッタリング等した後、記録面が低反射率である非晶質（アモルファス状態）となっている。従って、データの記録を可能にするためには記録層を結晶化する（以下、初期化とも称する）工程が必要である。また、光ディスクの製造段階ではＢＣＡコードの記録も行う。そこで、光ディスクの初期化工程とＢＣＡコードの記録を連続して行うことが提案されている。例えば、所定の半径領域においてレーザ光をパルス状に照射して初期化箇所（高反射率箇所）と非初期化箇所（低反射率箇所）とを作成することによりＢＣＡコードを記録し、それ以外の半径領域には一定強度のレーザ光を照射して初期化を行う。【０００４】
ＢＣＡコードの記録は、例えば、次のように行なわれる。光ディスクを回転させつつ、レーザ光の照射位置を半径方向に移動させると、光ディスクに照射された長円状の光スポットは、光ディスクの周方向と半径方向に移動する。光ディスクは、レーザ光強度がハイレベルの箇所は初期化が行われて高反射率となり、レーザ光強度がローレベルの箇所は低反射率のままでバーとして残す。そして光ディスクの回転に対するパルス状のレーザ光の出射タイミングを制御することにより、周方向における高反射率と低反射率の箇所が、それぞれ同じ半径位置となるように形成される。このようにして、光ディスクの所定の半径領域にバー状のＢＣＡコードを記録することができる。【０００５】
このＢＣＡコードを記録する半径領域の内周側に隣接する内周側領域と外周側に隣接する外周側領域とは、初期化が行われる。従って、光スポットを内周側から外周側に移動させながら、まずＢＣＡコードを記録する半径領域の内周側領域を初期化し、次にＢＣＡコードを記録する半径領域にＢＣＡコードを記録し、次にＢＣＡコードを記録する半径領域の外周側領域を初期化する。【０００６】
ＢＣＡコードの記録においては、各ＢＣＡコードの内周側端と外周側端の半径位置を周方向に沿って揃える装置が知られている。（例えば、特許文献１）。
【先行技術文献】
【特許文献】
【０００７】
【特許文献１】特開２００９−１２９５０５号公報
【発明の概要】
【発明が解決しようとする課題】
【０００８】
本開示は、光ディスクの製造における歩留まりを向上させる光ディスク製造装置及び光ディスク製造方法を提供する。
【課題を解決するための手段】
【０００９】
本開示における光ディスク製造装置は、相変化光ディスクであり、光ディスクの識別情報記録領域と、識別情報記録領域の半径方向内側に配される内周側領域と、識別情報記録領域の半径方向外側に配される外周側領域とを含む一以上の記録層を有する光ディスクを製造する、光ディスク製造装置である。同光ディスク製造装置は、光ディスクの記録層に対しレーザ光を照射するレーザ光照射部と、同レーザ照射部を光ディスクの半径方向に移動させる移動機構と、光ディスクを回転させる回転機構と、レーザ照射部、移動機構及び回転機構を制御する制御部と、を備える。同光ディスク製造装置においては、制御部の指令に応じて、回転機構により光ディスクを回転させつつ、レーザ照射部により記録層が結晶化するのに必要な第１のパワーでレーザ光を同記録層に照射する。移動機構は、（ｉ）レーザ照射部が光ディスクの内周側領域の位置から識別情報記録領域の位置に移動する間における第１の半径位置において、レーザ照射部の移動速度を第１の速度から第２の速度に変更し、（ｉｉ）レーザ照射部が第２の速度で識別情報記録領域の位置に至った第２の半径位置において、レーザ照射部の移動速度を第２の速度から第３の速度に変更する。第２の速度は、第１の速度及び第３の速度よりも遅く設定される。更に、レーザ照射部は、識別情報記録領域を移動するとき、第１のパワーと記録層を結晶化させない程度に低い第２のパワーとを交互に切り換えながらレーザ光を照射することにより、識別情報を記録する。
【発明の効果】
【００１０】
本開示における光ディスクの製造装置及び製造方法は、光ディスクの製造における歩留まりを向上させる。
【図面の簡単な説明】
【００１１】
【図１】実施の形態１の光ディスクの概略構成図
【図２】同光ディスクの記録層の概略構成図
【図３】同光ディスク初期化装置の概略全体構成図
【図４】同光ディスクの第１記録層の概略平面図
【図５】同光ディスクの第１記録層を初期化するときの、レーザ光半径位置に対する光ピックアップの送り速度とレーザパワーを示す図
【図６Ａ】実施の形態１の光ディスクの初期化工程を説明するフローチャート
【図６Ｂ】実施の形態１の光ディスクの初期化工程を説明するフローチャート
【図７】実施の形態１の光ディスクの初期化領域とＢＣＡコード記録領域の境界における記録状態を示す図
【図８】比較例による光ディスクの初期化領域とＢＣＡコード記録領域の境界における記録状態を示す図
【発明を実施するための形態】
【００１２】
以下、適宜図面を参照しながら実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、発明者は、当業者が本開示を十分に理解するために添付図面及び以下の説明を提供するのであって、これらによって特許請求の範囲に記載の主題を限定することを意図するものではない。
（実施の形態１）
多層膜構造の光ディスクの製造においては、光ディスクの初期化と同時に、識別情報であるバーコード状のＢＣＡコードを記録する。従来、バーコード状のＢＣＡコードの端部の半径位置を周方向に沿って揃えて形成するために、レーザ光の半径方向の移動を一度停止させる方法がある。このとき、基板に近い奥側の記録層にフォーカス引き込みをしてＢＣＡコードを記録する場合、基板から離れた手前側の記録層膜にもレーザ光が通過し、その一部は熱エネルギとして記録層膜に吸収され加熱される。レーザ光が停止した領域ではレーザ光通過回数が増加することにより長時間加熱され高温になるため、基板から離れた手前側の記録層膜も、フォーカス引き込みがなされていないにもかかわらず初期化されてしまう。この結果、奥側及び手前側の両方の記録層から反射光が返り、フォーカス誤差信号が乱れるため、フォーカス制御が困難となりフォーカス外れが発生しやすい。これにより、光ディスクの初期化工程が適切に行えず、光ディスクの製造の歩留りを悪化させる。
【００１３】
本実施の形態は、特に片面２層や片面３層の書き換え型ブルーレイディスク等の多層相変化書き換え型光ディスクの製造において、初期化工程の歩留りを向上させる光ディスクの製造装置及び製造方法に関する。
なお、以下においては、片面２層書き換え型光ディスクを例として、その初期化を行う光ディスク初期化装置及び初期化方法について説明する。
【００１４】
本実施の形態において、光ディスクを初期化するとは、光ディスクの製造段階において、非結晶質（アモルファス状態）である記録層を、レーザ光照射により結晶化させることをいう。
以下、図１〜９を用いて、実施の形態１を説明する。
［１−１．  構成］
［１−１−１．  光ディスクの構成］
図１は、光ディスク１０１の概略構成図である。光ディスク１０１は、ブルーレイディスク等であり、基板１０２と、基板表面１０３と、第１記録層１０４と、光学分離層１０５と、光学分離層表面１０６と、第２記録層１０７と、光透過層１０８と、を有する。
【００１５】
なお、レーザ光は、図１に示す矢印Ｌ方向から入射される。従って、以下の説明においては、図１の「上」側をレーザ光入射側とする。
基板１０２は、ポリカーボネート、ＰＭＭＡ等の樹脂板、ガラス板等からなる。基板表面１０３は、スパイラルまたは同心円状の連続溝等で覆われている。
基板１０２の上（レーザ光入射側）には、第１記録層１０４がスパッタリング法、電子ビーム蒸着法等により形成される。
【００１６】
第１記録層１０４の上には、光学分離層１０５が形成される。光学分離層１０５は、第１記録層１０４に信号を再生するために照射するレーザ光の波長に対して透明な材料で構成され、第１記録層１０４と第２記録層１０７とを光学的に分離する機能を有する。光学分離層１０５は、紫外線硬化樹脂等からなる層をスピンコートにより形成する方法や、透明フィルムを粘着テープまたは紫外線硬化樹脂等により接着する方法等により形成される。光学分離層表面１０６は、スパイラルまたは同心円状の連続溝等で覆われている。
【００１７】
光学分離層１０５の上には第２記録層１０７がスパッタリング法、電子ビーム蒸着法等により形成される。
第２記録層１０７の上には光透過層１０８が形成される。光透過層１０８は紫外線硬化樹脂等からなる層をスピンコートによって形成する方法や、粘着テープまたは紫外線硬化樹脂等により透明フィルムを第２記録層１０７の上に接着する方法等により形成される。
【００１８】
図２は、図１の光ディスク１０１のうち第１記録層１０４と第２記録層１０７とを分解して示す。同図に示すように、光ディスク１０１には１枚１枚のディスクを識別するためのＢＣＡ（Ｂｕｒｓｔ  Ｃｕｔｔｉｎｇ  Ａｒｅａ）が設けられている。このＢＣＡ（識別情報記録領域の一例）は、相変化書き換え型ディスクの製造工程の一部である初期化工程において形成される。具体的には、レーザ光を光ディスクの周方向に移動させつつ、オン、オフさせることにより初期化部、未初期化部を半径方向帯び状に形成して、バーコード状のＢＣＡコード（識別情報の一例）を形成する。なお、このＢＣＡは、レーザ光入射側から見て奥側の第１記録層１０４の最内周に設けられる。初期化領域全体の中で、ＢＣＡ１１０より内周側には内周初期化領域１０９（内周側領域の一例）が設けられ、外周側にはデータ記録領域全体を含む外周初期化領域１１１（外周側領域の一例）が設けられている。
［１−１−２．  光ディスク初期化装置の構成］
図３は、本実施の形態における光ディスク初期化装置２００（光ディスク製造装置の一例）の概略全体構成図である。
【００１９】
光ディスク初期化装置２００は、相変化型光ディスクの記録層を所定のパワーによるレーザ光で初期化（結晶化）するとともに、光ディスクの所定半径位置に初期化箇所と未初期化箇所とからなるバーコード状のＢＣＡコードを記録する装置である。図３に示すように、光ディスク初期化装置２００は、ターンテーブル２０１、スピンドルモータ２０２（回転機構の一例）、光ピックアップ２０３（レーザ光照射部の一例）、ヘッド送り機構２０８（移動機構の一例）、及び制御部２０９により構成されている。
【００２０】
ターンテーブル２０１は、ステンレス等の金属材料で製作され、真空吸着機構（図示せず）等により光ディスク１０１を高速回転可能な状態に保持する。
スピンドルモータ２０２は、ターンテーブル２０１に結合される。スピンドルモータ２０２は、ターンテーブル２０１に取り付けられた光ディスク１０１を、ヘッド送り機構２０８の半径位置情報に基づき所定の回転制御方式により回転させる。回転制御方式は、例えば、光ディスク１０１とレーザ光の円周方向相対移動速度が一定になるように回転数を制御する線速度一定モード（ＣＬＶ；Ｃｏｎｓｔａｎｔ  Ｌｉｎｅａｒ  Ｖｅｌｏｃｉｔｙ）や、ヘッド送り機構２０８の半径位置が変化しても一定回転数で回転する角速度一定モード（ＣＡＶ；Ｃｏｎｓｔａｎｔ  Ａｎｇｕｌａｒ  Ｖｅｌｏｃｉｔｙ）で回転する。
【００２１】
光ピックアップ２０３は、レーザ光源２０４、ミラー２０５、及び対物レンズ２０６により構成される。レーザ光源２０４から照射されたレーザ光は、対物レンズ２０６により光ディスク１０１の第１記録層１０４または第２記録層１０７上に、例えば非点収差法を用いてフォーカシングされる。フォーカシングに際して、第１記録層１０４、第２記録層１０７から得られるフォーカスエラー信号が用いられる。フォーカシング制御を行う方法としては、非点収差法やナイフエッジ法等様々な方法を採用することができる。レーザ光は光スポットが楕円形状に整形される。具体的には、ディスク半径方向が長軸方向、円周方向が短軸方向となるような楕円形状になるように光スポットを配置する。このようにすることで、ディスク一回転当たりの半径方向における初期化幅を長くし生産性向上を図っている。
【００２２】
ヘッド送り機構２０８は、パルスモータ、サーボモータ、リニアモータ等（図示せず）を駆動源として光ピックアップ２０３を半径方向に移動させると共に、半径位置情報を制御部２０９に出力する。光ピックアップ２０３の移動速度は、ディスク一回転当たりの光ピックアップの半径方向移動量Ｖ〔μｍ／回転〕で設定される。
制御部２０９は、スピンドルモータ２０２の回転速度、ヘッド送り機構２０８の送り速度、光ピックアップ２０３のフォーカシング、初期化用レーザ照射、ＢＣＡコード記録用レーザ照射等を制御する。制御部２０９は、例えば、プロセッサやメモリを含む装置や集積回路等であり、メモリに格納されたプログラムを実行する汎用のＤＳＰやＦＰＧＡ等により実現される。
［１−１−３．  第１記録層の構成］
図４は、本実施の形態の第１記録層１０４の平面図である。Ｒ１、Ｒ２ａ、Ｒ２、Ｒ３、Ｒ３ａ、及びＲ４は、初期化工程において光ピックアップ２０３の半径方向の移動速度（以下、送り速度と称する）に関係する第１記録層１０４の中心からの距離、つまり半径位置を示す。Ｒ１は、第１記録層１０４の中心から内周初期化領域１０９の内側端までの距離を示しており、初期化開始位置である。Ｒ２は、第１記録層１０４の中心から内周初期化領域１０９の外側端すなわち、ＢＣＡ１１０の内側端までの距離を示しており、ＢＣＡコード記録開始位置である。Ｒ３は、第１記録層１０４の中心からＢＣＡ１１０の外側端までの距離を示しており、ＢＣＡコード記録終了位置である。Ｒ４は、第１記録層１０４の中心から外周初期化領域１１１の外側までの距離を示しており、初期化終了位置である。
【００２３】
Ｒ２ａは、第１記録層１０４の中心から内周初期化領域１０９の外側端よりも少し内側までの距離を示している。Ｒ２ａは、ＢＣＡコード記録開始前であって、光ピックアップ２０３の送り速度を初期化用送り速度から減速送り速度に変更する位置、すなわちＢＣＡコード記録開始前の減速送り開始位置である。Ｒ２ａの位置は、Ｒ２ａ−Ｒ２間において光ピックアップ２０３が後述する減速送り速度Ｖｓで移動する間に光ディスク１０１が少なくとも一回転以上回転するような位置に設定される。
【００２４】
Ｒ３ａは、第１記録層１０４の中心からＢＣＡ１１０の外側よりも少し外側の距離を示している。Ｒ３ａは、ＢＣＡ記録終了後であって、ＢＣＡコード記録終了位置Ｒ３で光ピックアップ２０３の送り速度をＢＣＡコード記録用送り速度から減速送り速度に変更した後、減速送りを終了し、初期化用送り速度に変更する位置、すなわちＢＣＡ記録終了後の減速送り終了位置である。Ｒ３ａの位置は、Ｒ３−Ｒ３ａ間において光ピックアップ２０３が減速送り速度Ｖｓで移動する間に光ディスク１０１が少なくとも一回転以上回転するような位置に設定される。
［１−１−４．  光ピックアップの送り速度］
図５は、第１記録層１０４の初期化時のレーザ光半径位置に対する、光ピックアップ２０３の送り速度（図５（ａ））、及びレーザパワー（図５（ｂ））を示す。なお、本図では、実際には速度変更には一定の加減速時間が必要であるが、説明を簡単にするため光ピックアップ２０３の送り速度変更時の加減速時間は０として簡略化して記している。
【００２５】
図５（ａ）に示すように、光ピックアップ２０３の送り速度は、次のように設定する。
（１）初期化開始位置Ｒ１から減速送り開始位置Ｒ２ａ（第１の半径位置の一例）までは初期化用送り速度Ｖｉ（第１の速度の一例）に設定する。
（２）減速送り開始位置Ｒ２ａからＢＣＡコード記録開始位置Ｒ２（第２の半径位置の一例）までは減速送り速度Ｖｓ（＞０μｍ／回転）（第２の速度の一例）に設定する。減速送り速度Ｖｓは、Ｒ２ａ−Ｒ２間において光ピックアップ２０３が減速送り速度Ｖｓで移動する間に光ディスク１０１が少なくとも一回転以上回転するように設定される。
（３）ＢＣＡコード記録開始位置Ｒ２からＢＣＡコード記録終了位置Ｒ３（第３の半径位置の一例）まではＢＣＡコード記録用送り速度に設定する。本実施の形態では、ＢＣＡコード記録用送り速度＝初期化用送り速度Ｖｉ（第３の速度の一例）に設定する。
（４）ＢＣＡコード記録終了位置Ｒ３から減速送り終了位置Ｒ３ａ（第４の半径位置の一例）までは減速送り速度Ｖｓ（第４の速度の一例）に設定する。減速送り速度Ｖｓは、Ｒ３−Ｒ３ａ間において光ピックアップ２０３が減速送り速度Ｖｓで移動する間に光ディスク１０１が少なくとも一回転以上回転するように設定される。
（５）減速送り終了位置Ｒ３ａから初期化終了位置Ｒ４までは初期化用送り速度Ｖｉ（第５の速度の一例）に設定する。
［１−１−５．  レーザパワー］
また図５（ｂ）に示すように、レーザパワーは、次のように設定する。
（１）初期化開始位置Ｒ１からＢＣＡコード記録開始位置Ｒ２までの内周初期化領域、及び、ＢＣＡコード記録終了位置Ｒ３から初期化終了位置Ｒ４までの外周初期化領域では、初期化用レーザパワーＰａ（第１のパワーの一例）に設定する。
（２）ＢＣＡコード記録開始位置Ｒ２からＢＣＡコード記録終了位置Ｒ３までは、ＢＣＡコード記録のためパルス照射する。ＰｂはＢＣＡコードの未初期化部となる部分に対するレーザパワー（第２のパワーの一例）であり、ディスクの記録感度等により最適な値に設定する。
［１−２．  動作］
［１−２−１．  初期化工程における動作］
図６Ａ及び図６Ｂは、本実施の形態における光ディスク初期化装置２００の初期化動作を示すフローチャートである。同初期化動作により第１記録層１０４の初期化工程が行なわれる。
【００２６】
ステップＳ５０１：まず外部のＢＣＡコード生成用コンピュータ端末（例えば、パソコン）（図示せず）等から制御部２０９へＢＣＡデータが出力される。制御部２０９では、データ変換（エンコード）が行われ、ＢＣＡデータ記録信号が生成される。
ステップＳ５０２：次に、制御部２０９の指令によりヘッド送り機構２０８を駆動して、光ピックアップ２０３を初期化開始位置Ｒ１まで移動する。
【００２７】
ステップＳ５０３：続いて、制御部２０９の指令により、スピンドルモータ２０２を初期化用回転速度で回転させる。
ステップＳ５０４：制御部２０９によりレーザパワーをフォーカス引込み用パワーに設定し、レーザ光源２０４を駆動してレーザ光照射を開始する。
ステップＳ５０５：第１記録層１０４へのフォーカス引込みを開始する。フォーカス引込みに成功すればフォーカスサーボを開始し、初期化が終了するまで継続する。
【００２８】
ステップＳ５０６：次に、制御部２０９の指令により、光ピックアップ２０３の半径方向送り速度を初期化用送り速度Ｖｉに設定して送りを開始する。
ステップＳ５０７：光ピックアップ２０３が送り速度Ｖｉで移動する間、レーザパワーを初期化用レーザパワーＰａに設定し、レーザ照射する。
ステップＳ５０８：次に、制御部２０９により、光ピックアップ２０３の半径位置が減速送り開始位置Ｒ２ａに達したかどうかを判定される。
【００２９】
ステップＳ５０９：ステップＳ５０８において光ピックアップ２０３の半径位置が減速送り開始位置Ｒ２ａに達したと判定された場合は、制御部２０９は、光ピックアップ２０３の送り速度を減速送り速度Ｖｓに変更する。なお、Ｒ２ａの位置は、Ｒ２ａ−Ｒ２間において光ピックアップ２０３が減速送り速度Ｖｓで移動する間に光ディスク１０１が少なくとも一回転以上回転するような位置に設定される。
【００３０】
ステップＳ５１０：次に、制御部２０９により、光ピックアップ２０３の半径位置がＢＣＡコード記録開始位置Ｒ２に達したかどうか判定される。
ステップＳ５１１：ステップＳ５１１において光ピックアップ２０３の半径位置がＢＣＡコード記録開始位置Ｒ２に達したと判定された場合は、制御部２０９は、レーザ照射パワーをＢＣＡコード記録用パワーに変更、すなわちパルス照射する。
【００３１】
ステップＳ５１２：同時に、制御部２０９は、光ピックアップ２０３の送り速度をＢＣＡ記録用送り速度に、スピンドル回転速度をＢＣＡ記録用回転速度に変更する。
ステップＳ５１３：次に、制御部２０９により、光ピックアップ２０３の半径位置がＢＣＡコード記録終了位置Ｒ３に達したかどうか判定される。
ステップＳ５１４：ステップＳ５１３において光ピックアップ２０３の半径位置がＢＣＡコード記録終了位置Ｒ３に達したと判定された場合は、制御部２０９は、光ピックアップ２０３の送り速度を減速送り速度Ｖｓに減速する。
【００３２】
ステップＳ５１５：同時に、制御部２０９は、レーザ照射パワーを初期化用レーザパワーＰａに変更する。
ステップＳ５１６：次に、制御部２０９により、光ピックアップ２０３の半径位置が減速送り終了位置Ｒ３ａに達したどうか判定される。
ステップＳ５１７：ステップＳ５１６において光ピックアップ２０３の半径位置が減速送り終了位置Ｒ３ａに達したと判定された場合は、制御部２０９は、光ピックアップ２０３の送り速度を初期化用送り速度Ｖｉに変更する。なお、Ｒ３ａの位置は、Ｒ３−Ｒ３ａ間において光ピックアップ２０３が減速送り速度Ｖｓで移動する間に光ディスク１０１が少なくとも一回転以上回転するような位置に設定される。
【００３３】
ステップＳ５１８：次に、制御部２０９により、光ピックアップ２０３の半径位置が初期化終了位置Ｒ４に達したどうか判定される。
ステップＳ５１９：ステップＳ５１８において光ピックアップ２０３の半径位置が初期化終了位置Ｒ４に達したと判定された場合は、制御部２０９は、フォーカスサーボを停止する。
【００３４】
ステップＳ５２０：同時に、制御部２０９は、レーザ照射を停止する。
ステップＳ５２１：制御部２０９は、ヘッド送り機構２０８の駆動を停止して、光ピックアップ２０３の半径方向の移動を停止させる。
以上の一連の動作により第１記録層１０４の初期化を実行する。この初期化工程の後、制御部２０９により光ピックアップ２０３を最内周に移動させ、第１記録層１０４と同様の手順で第２記録層１０７を初期化する。第２記録層１０７にはＢＣＡを設けていない。従って、設定された第２記録層初期化開始位置から第２記録層初期化終了位置までの領域全体を初期化工程のために設定されたレーザパワー、スピンドル回転速度、半径送り速度で初期化工程を実行する。
【００３５】
以上の工程を経て片面２層書き換え型光ディスクの初期化と所定半径位置へのＢＣＡ記録が完了する。
［１−２−２．  初期化による効果］
図７は本実施の形態に係る初期化による光ディスクの初期化領域とＢＣＡコード記録領域の境界の記録状態を示す図である。なお、本図は、本実施の形態にて初期化及びＢＣＡ記録したディスクの周方向を直線状に表し、半径方向尺度を拡大した図である。
【００３６】
本実施の形態では、初期化用の光ピックアップ２０３の半径方向送りピッチをＶｉ〔μｍ／回転〕に設定し、ＢＣＡコード書込み前後の光ピックアップ２０３の減速送り速度をＶｓ〔μｍ／回転〕に設定した。このようにＢＣＡコード書込み前後で少なくとも１回転以上光ピックアップの半径方向送り速度を減速することにより、ＢＣＡコードの内周側端及び外周側端の半径位置のばらつきを減速時の送りピッチＶｓ〔μｍ〕以内に減少させることが可能である。例えば、レーザ光長＝１５０〔μｍ〕、Ｖｉ＝７５〔μｍ／回転〕、Ｖｓ＝１０〔μｍ／回転〕に設定する。ＢＣＡコードの内周側端と外周側端における半径位置のばらつきは、減速しない場合は最大７５〔μｍ〕になるが、減速した場合には１０〔μｍ／回転〕に縮小可能であり、規格で定められた許容範囲内（例えばＤＶＤでは±６０μｍ以内）に収めることが容易になる。
【００３７】
図８は、比較例による光ディスクの初期化領域とＢＣＡコード記録領域の境界の記録状態を図７と同様に示す図である。同比較例では、ＢＣＡコードの内周側端及び外周側端で光ピックアップの送りを停止している。この停止により、ＢＣＡコードの半径位置のばらつきを無くすことが可能である。しかしながら、多層構造光ディスクにおいては、光ピックアップを停止させることによりレーザ入射側からみて手前側の第２記録層への照射時間が長くなる。このため、フォーカシングはされていないにもかかわらず第２記録膜へのレーザ光吸収熱量が増大し、第１記録層１０４と共に第２記録層１０７も初期化されてしまう。この結果、第２記録層１０７の反射率が高くなることにより、第１記録層１０４と第２記録層１０７の両方から反射光が返るため、フォーカスサーボ用のフォーカス誤差信号が乱れてフォーカス外れが発生しやすくなる。
［１−３．  効果等］
本実施の形態では、相変化光ディスク１０１であり、同光ディスクの識別情報を記録するＢＣＡ１１０と、ＢＣＡ１１０の半径方向内側に配される内周側領域１０９と、ＢＣＡ１１０の半径方向外側に配される外周側領域１１１とを含む一以上の記録層を有する光ディスク１０１の初期化を行う、光ディスク初期化装置２００であって、光ディスク１０１の第１記録層１０４及び第２記録層１０７に対しレーザ光を照射する光ピックアップ２０３と、同光ピックアップ２０３を光ディスク１０１の半径方向に移動させるヘッド送り機構２０８と、光ディスク１０１を回転させるスピンドルモータ２０２と、光ピックアップ２０３、ヘッド送り機構２０８、及びスピンドルモータ２０２を制御する制御部２０９とを備える。同光ディスク初期化装置２００においては、制御部２０９の指令に応じて、スピンドルモータ２０２により光ディスク１０１を回転させつつ、光ピックアップ２０３により第１記録層１０４が結晶化するのに必要なパワーＰａでレーザ光を同記録層に照射する。ヘッド送り機構２０８は、（ｉ）光ピックアップ２０３が光ディスク１０１の内周側領域１０９の位置からＢＣＡ１１０の位置に移動する間における半径位置Ｒ２ａにおいて、光ピックアップ２０３の送り速度をＶｉからＶｓに減速し、（ｉｉ）光ピックアップ２０３がＶｓの速度でＢＣＡ１１０の位置に至った半径位置Ｒ２において、光ピックアップ２０３の送り速度をＶｓからＶｉに戻す。光ピックアップ２０３は、ＢＣＡ１１０を移動するとき、レーザパワーＰａと第１記録層１０４を結晶化させない程度に低いレーザパワーＰｂとを交互に切り換えながらレーザ光を照射することにより、ＢＣＡコードを記録する。
【００３８】
本実施の形態によれば、光ピックアップ２０３の送り速度をＢＣＡ１１０前後で所定区間減速するため、光ピックアップ２０３を完全に停止する場合と比べ、第２記録層１０７への吸収熱量の低減が可能である。つまり、ＢＣＡ１１０前後で光ピックアップ２０３の送り減速速度を適切に設定することにより、ＢＣＡコードの半径位置のばらつきを許容範囲内に抑えつつ、生産時のフォーカス外れを防ぐという両方の問題を同時に解決することが可能である。
【００３９】
なお、本実施の形態は、光ディスクの製造装置としてだけでなく、光ディスクの製造方法として実現できる。
（その他の実施形態）
以上のように、本開示における技術の例示として、実施の形態を説明した。そのために、添付図面及び詳細な説明を提供した。
【００４０】
従って、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００４１】
例えば、上記実施の形態においては、片面２層書き換え型光ディスクを挙げたが、記録層が１層である光ディスク、或いは３層以上の光ディスクのいずれであっても上記実施の形態を適用することができる。
また、上記実施の形態におけるＢＣＡコードは一例に過ぎず、他の例による識別情報であってもよい。また、ＢＣＡは、レーザ光入射側から最も遠い第１記録層に形成されることに限定されず、最も近い記録層に形成されていてもよいし、複数の記録層間の中間位置にある記録層に形成されてもよい。
【００４２】
また、上記実施の形態においては、初期化開始位置Ｒ１から減速送り開始位置Ｒ２ａまでの初期化用送り速度Ｖｉと、ＢＣＡコード記録開始位置Ｒ２からＢＣＡコード記録終了位置Ｒ３までのＢＣＡコード記録用送り速度Ｖｉと、減速送り終了位置Ｒ３ａから初期化終了位置Ｒ４までの初期化用送り速度Ｖｉとを全て同じ速度に設定しているが、異なる速度に設定してもよい。また、減速送り開始位置Ｒ２ａからＢＣＡコード記録開始位置Ｒ２までの減速送り速度Ｖｓと、ＢＣＡコード記録終了位置Ｒ３から減速送り終了位置Ｒ３ａまでの減速送り速度Ｖｓも、同じ速度に設定しなくてもよい。即ち、Ｖｉ＞Ｖｓの関係であれば、それぞれの速度を異ならせてもよい。
【００４３】
上述の実施の形態は、本開示における技術を例示するためのものであるから、特許請求の範囲またはその均等の範囲において種々の変更、置き換え、付加、省略などを行うことができる。
【産業上の利用可能性】
【００４４】
本開示は、光ディスクの製造装置、特に光ディスクの初期化装置として有用である。
【符号の説明】
【００４５】
１０１  光ディスク
１０２  基板
１０３  基板表面
１０４  第１記録層
１０５  光学分離層
１０６  光学分離層表面
１０７  第２記録層
１０８  光透過層
１０９  内周初期化領域
１１０  ＢＣＡ
１１１  外周初期化領域
２０１  ターンテーブル
２０２  スピンドルモータ
２０３  光ピックアップ
２０４  レーザ光源
２０５  ミラー
２０６  対物レンズ
２０８  ヘッド送り機構
２０９  制御部
【図１】
2013021557.tif 000003
【図２】
2013021557.tif 000004
【図３】
2013021557.tif 000005
【図４】
2013021557.tif 000006
【図５】
2013021557.tif 000007
【図６Ａ】
2013021557.tif 000008
【図６Ｂ】
2013021557.tif 000009
【図７】
2013021557.tif 000010
【図８】
2013021557.tif 000011
【手続補正書】
【提出日】平成25年2月8日(2013.2.8)
【手続補正１】
【補正対象書類名】特許請求の範囲
【補正対象項目名】全文
【補正方法】変更
【補正の内容】
【特許請求の範囲】
【請求項１】
相変化光ディスクであり、前記光ディスクの識別情報記録領域と、前記識別情報記録領域の半径方向内側に配される内周側領域と、前記識別情報記録領域の半径方向外側に配される外周側領域とを含む一以上の記録層を有する光ディスクを製造する、光ディスク製造装置であって、
前記光ディスクの前記記録層に対しレーザ光を照射するレーザ光照射部と、
前記レーザ照射部を前記光ディスクの半径方向に移動させる移動機構と、
前記光ディスクを回転させる回転機構と、
前記レーザ照射部、前記移動機構及び前記回転機構を制御する制御部と、
を備え、
前記制御部の指令に応じて、
前記回転機構により前記光ディスクを回転させつつ、前記レーザ照射部により前記記録層が結晶化するのに必要な第１のパワーでレーザ光を同記録層に照射し、
前記移動機構は、（ｉ）前記レーザ照射部が前記光ディスクの前記内周側領域の位置から前記識別情報記録領域の位置に移動する間における第１の半径位置において、前記レーザ照射部の移動速度を第１の速度から第２の速度に変更し、（ｉｉ）前記レーザ照射部が前記第２の速度で前記識別情報記録領域の位置に至った第２の半径位置において、前記レーザ照射部の移動速度を前記第２の速度から第３の速度に変更し、
前記第２の速度は、前記第１の速度及び前記第３の速度よりも遅く設定され、
前記レーザ照射部は、前記識別情報記録領域を移動するとき、前記第１のパワーと前記記録層を結晶化させない程度に低い第２のパワーとを交互に切り換えながらレーザ光を照射することにより、前記識別情報を記録する、
光ディスク製造装置。
【請求項２】
前記第１の半径位置及び前記第２の速度のうち少なくとも一方は、前記レーザ照射部が前記第２の速度で前記第１の半径位置から前記第２の半径位置に移動する間に前記回転機構が前記光ディスクを少なくとも１回転させるように、設定されている、
請求項１に記載の光ディスク製造装置。
【請求項３】
前記制御部の指令に応じて、
前記移動機構は更に、（ｉ）前記レーザ照射部が前記識別情報記録領域の位置から前記外周側領域の位置に至った第３の半径位置において、前記レーザ照射部の移動速度を前記第３の速度から第４の速度に変更し、（ｉｉ）前記レーザ照射部が前記第４の速度で前記外周側領域を移動する間における第４の半径位置において、前記レーザ照射部の移動速度を前記第４の速度から第５の速度に変更し、
前記第４の速度は、前記第１の速度、前記第３の速度及び前記第５の速度よりも遅く設定される、
請求項１又は２に記載の光ディスク製造装置。
【請求項４】
前記第４の半径位置及び前記第４の速度のうち少なくとも一方は、前記レーザ照射部が前記第４の速度で前記第３の半径位置から前記第４の半径位置に移動する間に前記回転機構が前記光ディスクを少なくとも１回転させるように、設定されている、
請求項３に記載の光ディスク製造装置。
【請求項５】
前記光ディスクは、複数の記録層を有し、
前記レーザ照射部は、前記複数の記録層のうち、レーザ光照射側から最も遠い位置にある第１の記録層に前記識別情報を記録する、
請求項１から４のいずれかに記載の光ディスク製造装置。
【請求項６】
前記第１の速度、前記第３の速度、及び前記第５の速度は同じ速度に設定され、
前記第２の速度及び前記第４の速度は同じ速度に設定される、
請求項３から５のいずれかに記載の光ディスク製造装置。
【請求項７】
前記制御部は、
前記光ディスクの前記内周側領域の内側端に対して、フォーカス引き込みのための第３のパワーで前記レーザ照射部によりレーザ光を照射し、
前記フォーカス引き込み後、フォーカスサーボを開始し、
前記フォーカスサーボを行いつつ、前記レーザ照射部により前記内周側領域に対して前記第１のパワーによるレーザ光の照射を開始する、
請求項１から６のいずれかに記載の光ディスク製造装置。
【請求項８】
相変化光ディスクであり、前記光ディスクの識別情報記録領域と、前記識別情報記録領域の半径方向内側に配される内周側領域と、前記識別情報記録領域の半径方向外側に配される外周側領域とを含む一以上の記録層を有する光ディスクを製造する、光ディスク製造方法であって、
回転機構により前記光ディスクを回転させつつ、前記記録層が結晶化するのに必要な第１のパワーでレーザ光を同記録層に照射し、
移動機構により前記光ディスクの半径方向にレーザ光を移動させ、
前記移動機構によりレーザ光が前記光ディスクの前記内周側領域の位置から前記識別情報記録領域の位置に移動する間における第１の半径位置において、レーザ光の移動速度を第１の速度から前記第１の速度よりも遅い第２の速度に変更し、
前記移動機構によりレーザ光が前記第２の速度で前記識別情報記録領域に至った第２の半径位置において、レーザ光の移動速度を前記第２の速度から前記第２の速度よりも速い第３の速度に変更し、
前記移動機構によりレーザ光が前記識別情報記録領域を移動するとき、第１のパワーと前記記録層を結晶化させない程度に低い第２のパワーとを交互に切り換えながらレーザ光を照射することにより、前記識別情報を記録する、
光ディスク製造方法。
【請求項９】
前記移動機構によりレーザ光が前記第２の速度で前記第１の半径位置から前記第２の半径位置に移動する間に、前記回転機構により前記光ディスクを少なくとも１回転させる、
請求項８に記載の光ディスク製造方法。
【請求項１０】
更に、
前記移動機構によりレーザ光が前記識別情報記録領域の位置から前記外周側領域の位置に至った第３の半径位置において、レーザ光の移動速度を前記第３の速度から、前記第１の速度及び前記第３の速度よりも遅い第４の速度に変更し、
前記移動機構によりレーザ光が前記第４の速度で前記外周側領域を移動する間における第４の半径位置において、レーザ光の移動速度を前記第４の速度から、前記第２の速度及び前記第４の速度よりも速い第５の速度に変更する、
請求項８又は９に記載の光ディスク製造方法。
【請求項１１】
前記移動機構によりレーザ光が前記第４の速度で前記第３の半径位置から前記第４の半径位置に移動する間に、前記回転機構により前記光ディスクを少なくとも１回転させる、
請求項８から１０のいずれかに記載の光ディスク製造方法。
【請求項１２】
更に、
前記光ディスクの前記内周側領域の内側端に対して、フォーカス引き込みのための第３のパワーでレーザ光を照射し、
前記フォーカス引き込み後、フォーカスサーボを開始し、
前記フォーカスサーボを行いつつ、前記内周側領域に対して前記第１のパワーによるレーザ光の照射を開始する、
請求項８から１１のいずれかに記載の光ディスク製造方法。
【手続補正２】
【補正対象書類名】明細書
【補正対象項目名】全文
【補正方法】変更
【補正の内容】
【発明の詳細な説明】
【技術分野】
【０００１】
本開示は、光ディスクの製造に関し、特にレーザ光を照射して光ディスクの記録層を初期化するとともに、光ディスクの識別情報を記録する光ディスク製造装置及び光ディスク製造方法に関する。
【背景技術】
【０００２】
従来、光ディスクの不正コピー防止のために、光ディスクの最内周部のＢＣＡ（バーストカッティングエリア）領域にバーコード状のデータを記録することが行われている。このバーコード状のデータはシリアルナンバーや識別番号などの個別情報であり、これらの情報を用いて光ディスクを管理し、光ディスクの不正コピーを防止するものである。
このバーコード状のデータであるＢＣＡコードは、間隔が異なる複数のバーで構成されるデータであり、ＢＣＡデータを所定のデータ変換により変換したデータである。ＢＣＡデータは、ＢＣＡコードの元データであり、連続番号や識別番号などからなる個別情報である。
【０００３】
記録面の結晶状態でデータを判別する相変化型光ディスクの製造工程において、光ディスクは、スパッタリング等した後、記録面が低反射率である非晶質（アモルファス状態）となっている。従って、データの記録を可能にするためには記録層を結晶化する（以下、初期化とも称する）工程が必要である。また、光ディスクの製造段階ではＢＣＡコードの記録も行う。そこで、光ディスクの初期化工程とＢＣＡコードの記録を連続して行うことが提案されている。例えば、所定の半径領域においてレーザ光をパルス状に照射して初期化箇所（高反射率箇所）と非初期化箇所（低反射率箇所）とを作成することによりＢＣＡコードを記録し、それ以外の半径領域には一定強度のレーザ光を照射して初期化を行う。
【０００４】
ＢＣＡコードの記録は、例えば、次のように行なわれる。光ディスクを回転させつつ、レーザ光の照射位置を半径方向に移動させると、光ディスクに照射された長円状の光スポットは、光ディスクの周方向と半径方向に移動する。光ディスクは、レーザ光強度がハイレベルの箇所は初期化が行われて高反射率となり、レーザ光強度がローレベルの箇所は低反射率のままでバーとして残す。そして光ディスクの回転に対するパルス状のレーザ光の出射タイミングを制御することにより、周方向における高反射率と低反射率の箇所が、それぞれ同じ半径位置となるように形成される。このようにして、光ディスクの所定の半径領域にバー状のＢＣＡコードを記録することができる。
【０００５】
このＢＣＡコードを記録する半径領域の内周側に隣接する内周側領域と外周側に隣接する外周側領域とは、初期化が行われる。従って、光スポットを内周側から外周側に移動させながら、まずＢＣＡコードを記録する半径領域の内周側領域を初期化し、次にＢＣＡコードを記録する半径領域にＢＣＡコードを記録し、次にＢＣＡコードを記録する半径領域の外周側領域を初期化する。
【０００６】
ＢＣＡコードの記録においては、各ＢＣＡコードの内周側端と外周側端の半径位置を周方向に沿って揃える装置が知られている。（例えば、特許文献１）。
【先行技術文献】
【特許文献】
【０００７】
【特許文献１】特開２００９−１２９５０５号公報
【発明の概要】
【発明が解決しようとする課題】
【０００８】
本開示は、光ディスクの製造における歩留まりを向上させる光ディスク製造装置及び光ディスク製造方法を提供する。
【課題を解決するための手段】
【０００９】
本開示における光ディスク製造装置は、相変化光ディスクであり、光ディスクの識別情報記録領域と、識別情報記録領域の半径方向内側に配される内周側領域と、識別情報記録領域の半径方向外側に配される外周側領域とを含む一以上の記録層を有する光ディスクを製造する、光ディスク製造装置である。同光ディスク製造装置は、光ディスクの記録層に対しレーザ光を照射するレーザ光照射部と、同レーザ照射部を光ディスクの半径方向に移動させる移動機構と、光ディスクを回転させる回転機構と、レーザ照射部、移動機構及び回転機構を制御する制御部と、を備える。同光ディスク製造装置においては、制御部の指令に応じて、回転機構により光ディスクを回転させつつ、レーザ照射部により記録層が結晶化するのに必要な第１のパワーでレーザ光を同記録層に照射する。移動機構は、（ｉ）レーザ照射部が光ディスクの内周側領域の位置から識別情報記録領域の位置に移動する間における第１の半径位置において、レーザ照射部の移動速度を第１の速度から第２の速度に変更し、（ｉｉ）レーザ照射部が第２の速度で識別情報記録領域の位置に至った第２の半径位置において、レーザ照射部の移動速度を第２の速度から第３の速度に変更する。第２の速度は、第１の速度及び第３の速度よりも遅く設定される。更に、レーザ照射部は、識別情報記録領域を移動するとき、第１のパワーと記録層を結晶化させない程度に低い第２のパワーとを交互に切り換えながらレーザ光を照射することにより、識別情報を記録する。
【発明の効果】
【００１０】
本開示における光ディスクの製造装置及び製造方法は、光ディスクの製造における歩留まりを向上させる。
【図面の簡単な説明】
【００１１】
【図１】実施の形態１の光ディスクの概略構成図
【図２】同光ディスクの記録層の概略構成図
【図３】同光ディスク初期化装置の概略全体構成図
【図４】同光ディスクの第１記録層の概略平面図
【図５】同光ディスクの第１記録層を初期化するときの、レーザ光半径位置に対する光ピックアップの送り速度とレーザパワーを示す図
【図６Ａ】実施の形態１の光ディスクの初期化工程を説明するフローチャート
【図６Ｂ】実施の形態１の光ディスクの初期化工程を説明するフローチャート
【図７】実施の形態１の光ディスクの初期化領域とＢＣＡコード記録領域の境界における記録状態を示す図
【図８】比較例による光ディスクの初期化領域とＢＣＡコード記録領域の境界における記録状態を示す図
【発明を実施するための形態】
【００１２】
以下、適宜図面を参照しながら実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、発明者は、当業者が本開示を十分に理解するために添付図面及び以下の説明を提供するのであって、これらによって特許請求の範囲に記載の主題を限定することを意図するものではない。
（実施の形態１）
多層膜構造の光ディスクの製造においては、光ディスクの初期化と同時に、識別情報であるバーコード状のＢＣＡコードを記録する。従来、バーコード状のＢＣＡコードの端部の半径位置を周方向に沿って揃えて形成するために、レーザ光の半径方向の移動を一度停止させる方法がある。このとき、基板に近い奥側の記録層にフォーカス引き込みをしてＢＣＡコードを記録する場合、基板から離れた手前側の記録層膜にもレーザ光が通過し、その一部は熱エネルギとして記録層膜に吸収され加熱される。レーザ光が停止した領域ではレーザ光通過回数が増加することにより長時間加熱され高温になるため、基板から離れた手前側の記録層膜も、フォーカス引き込みがなされていないにもかかわらず初期化されてしまう。この結果、奥側及び手前側の両方の記録層から反射光が返り、フォーカス誤差信号が乱れるため、フォーカス制御が困難となりフォーカス外れが発生しやすい。これにより、光ディスクの初期化工程が適切に行えず、光ディスクの製造の歩留りを悪化させる。
【００１３】
本実施の形態は、特に片面２層や片面３層の書き換え型ブルーレイディスク等の多層相変化書き換え型光ディスクの製造において、初期化工程の歩留りを向上させる光ディスクの製造装置及び製造方法に関する。
なお、以下においては、片面２層書き換え型光ディスクを例として、その初期化を行う光ディスク初期化装置及び初期化方法について説明する。
【００１４】
本実施の形態において、光ディスクを初期化するとは、光ディスクの製造段階において、非結晶質（アモルファス状態）である記録層を、レーザ光照射により結晶化させることをいう。
以下、図１〜９を用いて、実施の形態１を説明する。
［１−１．  構成］
［１−１−１．  光ディスクの構成］
図１は、光ディスク１０１の概略構成図である。光ディスク１０１は、ブルーレイディスク等であり、基板１０２と、基板表面１０３と、第１記録層１０４と、光学分離層１０５と、光学分離層表面１０６と、第２記録層１０７と、光透過層１０８と、を有する。
【００１５】
なお、レーザ光は、図１に示す矢印Ｌ方向から入射される。従って、以下の説明においては、図１の「上」側をレーザ光入射側とする。
基板１０２は、ポリカーボネート、ＰＭＭＡ等の樹脂板、ガラス板等からなる。基板表面１０３は、スパイラルまたは同心円状の連続溝等で覆われている。
基板１０２の上（レーザ光入射側）には、第１記録層１０４がスパッタリング法、電子ビーム蒸着法等により形成される。
【００１６】
第１記録層１０４の上には、光学分離層１０５が形成される。光学分離層１０５は、第１記録層１０４に信号を再生するために照射するレーザ光の波長に対して透明な材料で構成され、第１記録層１０４と第２記録層１０７とを光学的に分離する機能を有する。光学分離層１０５は、紫外線硬化樹脂等からなる層をスピンコートにより形成する方法や、透明フィルムを粘着テープまたは紫外線硬化樹脂等により接着する方法等により形成される。光学分離層表面１０６は、スパイラルまたは同心円状の連続溝等で覆われている。
【００１７】
光学分離層１０５の上には第２記録層１０７がスパッタリング法、電子ビーム蒸着法等により形成される。
第２記録層１０７の上には光透過層１０８が形成される。光透過層１０８は紫外線硬化樹脂等からなる層をスピンコートによって形成する方法や、粘着テープまたは紫外線硬化樹脂等により透明フィルムを第２記録層１０７の上に接着する方法等により形成される。
【００１８】
図２は、図１の光ディスク１０１のうち第１記録層１０４と第２記録層１０７とを分解して示す。同図に示すように、光ディスク１０１には１枚１枚のディスクを識別するためのＢＣＡ（Ｂｕｒｓｔ  Ｃｕｔｔｉｎｇ  Ａｒｅａ）が設けられている。このＢＣＡ（識別情報記録領域の一例）は、相変化書き換え型ディスクの製造工程の一部である初期化工程において形成される。具体的には、レーザ光を光ディスクの周方向に移動させつつ、オン、オフさせることにより初期化部、未初期化部を半径方向帯び状に形成して、バーコード状のＢＣＡコード（識別情報の一例）を形成する。なお、このＢＣＡは、レーザ光入射側から見て奥側の第１記録層１０４の最内周に設けられる。初期化領域全体の中で、ＢＣＡ１１０より内周側には内周初期化領域１０９（内周側領域の一例）が設けられ、外周側にはデータ記録領域全体を含む外周初期化領域１１１（外周側領域の一例）が設けられている。
［１−１−２．  光ディスク初期化装置の構成］
図３は、本実施の形態における光ディスク初期化装置２００（光ディスク製造装置の一例）の概略全体構成図である。
【００１９】
光ディスク初期化装置２００は、相変化型光ディスクの記録層を所定のパワーによるレーザ光で初期化（結晶化）するとともに、光ディスクの所定半径位置に初期化箇所と未初期化箇所とからなるバーコード状のＢＣＡコードを記録する装置である。図３に示すように、光ディスク初期化装置２００は、ターンテーブル２０１、スピンドルモータ２０２（回転機構の一例）、光ピックアップ２０３（レーザ光照射部の一例）、ヘッド送り機構２０８（移動機構の一例）、及び制御部２０９により構成されている。
【００２０】
ターンテーブル２０１は、ステンレス等の金属材料で製作され、真空吸着機構（図示せず）等により光ディスク１０１を高速回転可能な状態に保持する。
スピンドルモータ２０２は、ターンテーブル２０１に結合される。スピンドルモータ２０２は、ターンテーブル２０１に取り付けられた光ディスク１０１を、ヘッド送り機構２０８の半径位置情報に基づき所定の回転制御方式により回転させる。回転制御方式は、例えば、光ディスク１０１とレーザ光の円周方向相対移動速度が一定になるように回転数を制御する線速度一定モード（ＣＬＶ；Ｃｏｎｓｔａｎｔ  Ｌｉｎｅａｒ  Ｖｅｌｏｃｉｔｙ）や、ヘッド送り機構２０８の半径位置が変化しても一定回転数で回転する角速度一定モード（ＣＡＶ；Ｃｏｎｓｔａｎｔ  Ａｎｇｕｌａｒ  Ｖｅｌｏｃｉｔｙ）で回転する。
【００２１】
光ピックアップ２０３は、レーザ光源２０４、ミラー２０５、及び対物レンズ２０６により構成される。レーザ光源２０４から照射されたレーザ光は、対物レンズ２０６により光ディスク１０１の第１記録層１０４または第２記録層１０７上に、例えば非点収差法を用いてフォーカシングされる。フォーカシングに際して、第１記録層１０４、第２記録層１０７から得られるフォーカスエラー信号が用いられる。フォーカシング制御を行う方法としては、非点収差法やナイフエッジ法等様々な方法を採用することができる。レーザ光は光スポットが楕円形状に整形される。具体的には、ディスク半径方向が長軸方向、円周方向が短軸方向となるような楕円形状になるように光スポットを配置する。このようにすることで、ディスク一回転当たりの半径方向における初期化幅を長くし生産性向上を図っている。
【００２２】
ヘッド送り機構２０８は、パルスモータ、サーボモータ、リニアモータ等（図示せず）を駆動源として光ピックアップ２０３を半径方向に移動させると共に、半径位置情報を制御部２０９に出力する。光ピックアップ２０３の移動速度は、ディスク一回転当たりの光ピックアップの半径方向移動量Ｖ〔μｍ／回転〕で設定される。
制御部２０９は、スピンドルモータ２０２の回転速度、ヘッド送り機構２０８の送り速度、光ピックアップ２０３のフォーカシング、初期化用レーザ照射、ＢＣＡコード記録用レーザ照射等を制御する。制御部２０９は、例えば、プロセッサやメモリを含む装置や集積回路等であり、メモリに格納されたプログラムを実行する汎用のＤＳＰやＦＰＧＡ等により実現される。
［１−１−３．  第１記録層の構成］
図４は、本実施の形態の第１記録層１０４の平面図である。Ｒ１、Ｒ２ａ、Ｒ２、Ｒ３、Ｒ３ａ、及びＲ４は、初期化工程において光ピックアップ２０３の半径方向の移動速度（以下、送り速度と称する）に関係する第１記録層１０４の中心からの距離、つまり半径位置を示す。Ｒ１は、第１記録層１０４の中心から内周初期化領域１０９の内側端までの距離を示しており、初期化開始位置である。Ｒ２は、第１記録層１０４の中心から内周初期化領域１０９の外側端すなわち、ＢＣＡ１１０の内側端までの距離を示しており、ＢＣＡコード記録開始位置である。Ｒ３は、第１記録層１０４の中心からＢＣＡ１１０の外側端までの距離を示しており、ＢＣＡコード記録終了位置である。Ｒ４は、第１記録層１０４の中心から外周初期化領域１１１の外側までの距離を示しており、初期化終了位置である。
【００２３】
Ｒ２ａは、第１記録層１０４の中心から内周初期化領域１０９の外側端よりも少し内側までの距離を示している。Ｒ２ａは、ＢＣＡコード記録開始前であって、光ピックアップ２０３の送り速度を初期化用送り速度から減速送り速度に変更する位置、すなわちＢＣＡコード記録開始前の減速送り開始位置である。Ｒ２ａの位置は、Ｒ２ａ−Ｒ２間において光ピックアップ２０３が後述する減速送り速度Ｖｓで移動する間に光ディスク１０１が少なくとも一回転以上回転するような位置に設定される。
【００２４】
Ｒ３ａは、第１記録層１０４の中心からＢＣＡ１１０の外側よりも少し外側の距離を示している。Ｒ３ａは、ＢＣＡ記録終了後であって、ＢＣＡコード記録終了位置Ｒ３で光ピックアップ２０３の送り速度をＢＣＡコード記録用送り速度から減速送り速度に変更した後、減速送りを終了し、初期化用送り速度に変更する位置、すなわちＢＣＡ記録終了後の減速送り終了位置である。Ｒ３ａの位置は、Ｒ３−Ｒ３ａ間において光ピックアップ２０３が減速送り速度Ｖｓで移動する間に光ディスク１０１が少なくとも一回転以上回転するような位置に設定される。
［１−１−４．  光ピックアップの送り速度］
図５は、第１記録層１０４の初期化時のレーザ光半径位置に対する、光ピックアップ２０３の送り速度（図５（ａ））、及びレーザパワー（図５（ｂ））を示す。なお、本図では、実際には速度変更には一定の加減速時間が必要であるが、説明を簡単にするため光ピックアップ２０３の送り速度変更時の加減速時間は０として簡略化して記している。
【００２５】
図５（ａ）に示すように、光ピックアップ２０３の送り速度は、次のように設定する。
（１）初期化開始位置Ｒ１から減速送り開始位置Ｒ２ａ（第１の半径位置の一例）までは初期化用送り速度Ｖｉ（第１の速度の一例）に設定する。
（２）減速送り開始位置Ｒ２ａからＢＣＡコード記録開始位置Ｒ２（第２の半径位置の一例）までは減速送り速度Ｖｓ（＞０μｍ／回転）（第２の速度の一例）に設定する。減速送り速度Ｖｓは、Ｒ２ａ−Ｒ２間において光ピックアップ２０３が減速送り速度Ｖｓで移動する間に光ディスク１０１が少なくとも一回転以上回転するように設定される。
（３）ＢＣＡコード記録開始位置Ｒ２からＢＣＡコード記録終了位置Ｒ３（第３の半径位置の一例）まではＢＣＡコード記録用送り速度に設定する。本実施の形態では、ＢＣＡコード記録用送り速度＝初期化用送り速度Ｖｉ（第３の速度の一例）に設定する。
（４）ＢＣＡコード記録終了位置Ｒ３から減速送り終了位置Ｒ３ａ（第４の半径位置の一例）までは減速送り速度Ｖｓ（第４の速度の一例）に設定する。減速送り速度Ｖｓは、Ｒ３−Ｒ３ａ間において光ピックアップ２０３が減速送り速度Ｖｓで移動する間に光ディスク１０１が少なくとも一回転以上回転するように設定される。
（５）減速送り終了位置Ｒ３ａから初期化終了位置Ｒ４までは初期化用送り速度Ｖｉ（第５の速度の一例）に設定する。
［１−１−５．  レーザパワー］
また図５（ｂ）に示すように、レーザパワーは、次のように設定する。
（１）初期化開始位置Ｒ１からＢＣＡコード記録開始位置Ｒ２までの内周初期化領域、及び、ＢＣＡコード記録終了位置Ｒ３から初期化終了位置Ｒ４までの外周初期化領域では、初期化用レーザパワーＰａ（第１のパワーの一例）に設定する。
（２）ＢＣＡコード記録開始位置Ｒ２からＢＣＡコード記録終了位置Ｒ３までは、ＢＣＡコード記録のためパルス照射する。ＰｂはＢＣＡコードの未初期化部となる部分に対するレーザパワー（第２のパワーの一例）であり、ディスクの記録感度等により最適な値に設定する。
［１−２．  動作］
［１−２−１．  初期化工程における動作］
図６Ａ及び図６Ｂは、本実施の形態における光ディスク初期化装置２００の初期化動作を示すフローチャートである。同初期化動作により第１記録層１０４の初期化工程が行なわれる。
【００２６】
ステップＳ５０１：まず外部のＢＣＡコード生成用コンピュータ端末（例えば、パソコン）（図示せず）等から制御部２０９へＢＣＡデータが出力される。制御部２０９では、データ変換（エンコード）が行われ、ＢＣＡデータ記録信号が生成される。
ステップＳ５０２：次に、制御部２０９の指令によりヘッド送り機構２０８を駆動して、光ピックアップ２０３を初期化開始位置Ｒ１まで移動する。
【００２７】
ステップＳ５０３：続いて、制御部２０９の指令により、スピンドルモータ２０２を初期化用回転速度で回転させる。
ステップＳ５０４：制御部２０９によりレーザパワーをフォーカス引込み用パワーに設定し、レーザ光源２０４を駆動してレーザ光照射を開始する。
ステップＳ５０５：第１記録層１０４へのフォーカス引込みを開始する。フォーカス引込みに成功すればフォーカスサーボを開始し、初期化が終了するまで継続する。
【００２８】
ステップＳ５０６：次に、制御部２０９の指令により、光ピックアップ２０３の半径方向送り速度を初期化用送り速度Ｖｉに設定して送りを開始する。
ステップＳ５０７：光ピックアップ２０３が送り速度Ｖｉで移動する間、レーザパワーを初期化用レーザパワーＰａに設定し、レーザ照射する。
ステップＳ５０８：次に、制御部２０９により、光ピックアップ２０３の半径位置が減速送り開始位置Ｒ２ａに達したかどうかを判定される。
【００２９】
ステップＳ５０９：ステップＳ５０８において光ピックアップ２０３の半径位置が減速送り開始位置Ｒ２ａに達したと判定された場合は、制御部２０９は、光ピックアップ２０３の送り速度を減速送り速度Ｖｓに変更する。なお、Ｒ２ａの位置は、Ｒ２ａ−Ｒ２間において光ピックアップ２０３が減速送り速度Ｖｓで移動する間に光ディスク１０１が少なくとも一回転以上回転するような位置に設定される。
【００３０】
ステップＳ５１０：次に、制御部２０９により、光ピックアップ２０３の半径位置がＢＣＡコード記録開始位置Ｒ２に達したかどうか判定される。
ステップＳ５１１：ステップＳ５１０において光ピックアップ２０３の半径位置がＢＣＡコード記録開始位置Ｒ２に達したと判定された場合は、制御部２０９は、レーザ照射パワーをＢＣＡコード記録用パワーに変更、すなわちパルス照射する。
【００３１】
ステップＳ５１２：同時に、制御部２０９は、光ピックアップ２０３の送り速度をＢＣＡ記録用送り速度に、スピンドル回転速度をＢＣＡ記録用回転速度に変更する。
ステップＳ５１３：次に、制御部２０９により、光ピックアップ２０３の半径位置がＢＣＡコード記録終了位置Ｒ３に達したかどうか判定される。
ステップＳ５１４：ステップＳ５１３において光ピックアップ２０３の半径位置がＢＣＡコード記録終了位置Ｒ３に達したと判定された場合は、制御部２０９は、光ピックアップ２０３の送り速度を減速送り速度Ｖｓに減速する。
【００３２】
ステップＳ５１５：同時に、制御部２０９は、レーザ照射パワーを初期化用レーザパワーＰａに変更する。
ステップＳ５１６：次に、制御部２０９により、光ピックアップ２０３の半径位置が減速送り終了位置Ｒ３ａに達したどうか判定される。
ステップＳ５１７：ステップＳ５１６において光ピックアップ２０３の半径位置が減速送り終了位置Ｒ３ａに達したと判定された場合は、制御部２０９は、光ピックアップ２０３の送り速度を初期化用送り速度Ｖｉに変更する。なお、Ｒ３ａの位置は、Ｒ３−Ｒ３ａ間において光ピックアップ２０３が減速送り速度Ｖｓで移動する間に光ディスク１０１が少なくとも一回転以上回転するような位置に設定される。
【００３３】
ステップＳ５１８：次に、制御部２０９により、光ピックアップ２０３の半径位置が初期化終了位置Ｒ４に達したどうか判定される。
ステップＳ５１９：ステップＳ５１８において光ピックアップ２０３の半径位置が初期化終了位置Ｒ４に達したと判定された場合は、制御部２０９は、フォーカスサーボを停止する。
【００３４】
ステップＳ５２０：同時に、制御部２０９は、レーザ照射を停止する。
ステップＳ５２１：制御部２０９は、ヘッド送り機構２０８の駆動を停止して、光ピックアップ２０３の半径方向の移動を停止させる。
以上の一連の動作により第１記録層１０４の初期化を実行する。この初期化工程の後、制御部２０９により光ピックアップ２０３を最内周に移動させ、第１記録層１０４と同様の手順で第２記録層１０７を初期化する。第２記録層１０７にはＢＣＡを設けていない。従って、設定された第２記録層初期化開始位置から第２記録層初期化終了位置までの領域全体を初期化工程のために設定されたレーザパワー、スピンドル回転速度、半径送り速度で初期化工程を実行する。
【００３５】
以上の工程を経て片面２層書き換え型光ディスクの初期化と所定半径位置へのＢＣＡ記録が完了する。
［１−２−２．  初期化による効果］
図７は本実施の形態に係る初期化による光ディスクの初期化領域とＢＣＡコード記録領域の境界の記録状態を示す図である。なお、本図は、本実施の形態にて初期化及びＢＣＡ記録したディスクの周方向を直線状に表し、半径方向尺度を拡大した図である。
【００３６】
本実施の形態では、初期化用の光ピックアップ２０３の半径方向送り速度をＶｉ〔μｍ／回転〕に設定し、ＢＣＡコード書込み前後の光ピックアップ２０３の減速送り速度をＶｓ〔μｍ／回転〕に設定した。このようにＢＣＡコード書込み前後で少なくとも１回転以上光ピックアップの半径方向送り速度を減速することにより、ＢＣＡコードの内周側端及び外周側端の半径位置のばらつきを減速時の送りピッチＶｓ〔μｍ〕以内に減少させることが可能である。例えば、レーザ光長＝１５０〔μｍ〕、Ｖｉ＝７５〔μｍ／回転〕、Ｖｓ＝１０〔μｍ／回転〕に設定する。ＢＣＡコードの内周側端と外周側端における半径位置のばらつきは、減速しない場合は最大７５〔μｍ〕になるが、減速した場合には１０〔μｍ〕に縮小可能であり、規格で定められた許容範囲内（例えばＤＶＤでは±６０μｍ以内）に収めることが容易になる。
【００３７】
図８は、比較例による光ディスクの初期化領域とＢＣＡコード記録領域の境界の記録状態を図７と同様に示す図である。同比較例では、ＢＣＡコードの内周側端及び外周側端で光ピックアップの送りを停止している。この停止により、ＢＣＡコードの半径位置のばらつきを無くすことが可能である。しかしながら、多層構造光ディスクにおいては、光ピックアップを停止させることによりレーザ入射側からみて手前側の第２記録層への照射時間が長くなる。このため、フォーカシングはされていないにもかかわらず第２記録層へのレーザ光吸収熱量が増大し、第１記録層１０４と共に第２記録層１０７も初期化されてしまう。この結果、第２記録層１０７の反射率が高くなることにより、第１記録層１０４と第２記録層１０７の両方から反射光が返るため、フォーカスサーボ用のフォーカス誤差信号が乱れてフォーカス外れが発生しやすくなる。
［１−３．  効果等］
本実施の形態では、相変化光ディスク１０１であり、同光ディスクの識別情報を記録するＢＣＡ１１０と、ＢＣＡ１１０の半径方向内側に配される内周側領域１０９と、ＢＣＡ１１０の半径方向外側に配される外周側領域１１１とを含む一以上の記録層を有する光ディスク１０１の初期化を行う、光ディスク初期化装置２００であって、光ディスク１０１の第１記録層１０４及び第２記録層１０７に対しレーザ光を照射する光ピックアップ２０３と、同光ピックアップ２０３を光ディスク１０１の半径方向に移動させるヘッド送り機構２０８と、光ディスク１０１を回転させるスピンドルモータ２０２と、光ピックアップ２０３、ヘッド送り機構２０８、及びスピンドルモータ２０２を制御する制御部２０９とを備える。同光ディスク初期化装置２００においては、制御部２０９の指令に応じて、スピンドルモータ２０２により光ディスク１０１を回転させつつ、光ピックアップ２０３により第１記録層１０４が結晶化するのに必要なパワーＰａでレーザ光を同記録層に照射する。ヘッド送り機構２０８は、（ｉ）光ピックアップ２０３が光ディスク１０１の内周側領域１０９の位置からＢＣＡ１１０の位置に移動する間における半径位置Ｒ２ａにおいて、光ピックアップ２０３の送り速度をＶｉからＶｓに減速し、（ｉｉ）光ピックアップ２０３がＶｓの速度でＢＣＡ１１０の位置に至った半径位置Ｒ２において、光ピックアップ２０３の送り速度をＶｓからＶｉに戻す。光ピックアップ２０３は、ＢＣＡ１１０を移動するとき、レーザパワーＰａと第１記録層１０４を結晶化させない程度に低いレーザパワーＰｂとを交互に切り換えながらレーザ光を照射することにより、ＢＣＡコードを記録する。
【００３８】
本実施の形態によれば、光ピックアップ２０３の送り速度をＢＣＡ１１０前後で所定区間減速するため、光ピックアップ２０３を完全に停止する場合と比べ、第２記録層１０７への吸収熱量の低減が可能である。つまり、ＢＣＡ１１０前後で光ピックアップ２０３の送り減速速度を適切に設定することにより、ＢＣＡコードの半径位置のばらつきを許容範囲内に抑えつつ、生産時のフォーカス外れを防ぐという両方の問題を同時に解決することが可能である。
【００３９】
なお、本実施の形態は、光ディスクの製造装置としてだけでなく、光ディスクの製造方法として実現できる。
（その他の実施形態）
以上のように、本開示における技術の例示として、実施の形態を説明した。そのために、添付図面及び詳細な説明を提供した。
【００４０】
従って、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００４１】
例えば、上記実施の形態においては、片面２層書き換え型光ディスクを挙げたが、記録層が１層である光ディスク、或いは３層以上の光ディスクのいずれであっても上記実施の形態を適用することができる。
また、上記実施の形態におけるＢＣＡコードは一例に過ぎず、他の例による識別情報であってもよい。また、ＢＣＡは、レーザ光入射側から最も遠い第１記録層に形成されることに限定されず、最も近い記録層に形成されていてもよいし、複数の記録層間の中間位置にある記録層に形成されてもよい。
【００４２】
また、上記実施の形態においては、初期化開始位置Ｒ１から減速送り開始位置Ｒ２ａまでの初期化用送り速度Ｖｉと、ＢＣＡコード記録開始位置Ｒ２からＢＣＡコード記録終了位置Ｒ３までのＢＣＡコード記録用送り速度Ｖｉと、減速送り終了位置Ｒ３ａから初期化終了位置Ｒ４までの初期化用送り速度Ｖｉとを全て同じ速度に設定しているが、異なる速度に設定してもよい。また、減速送り開始位置Ｒ２ａからＢＣＡコード記録開始位置Ｒ２までの減速送り速度Ｖｓと、ＢＣＡコード記録終了位置Ｒ３から減速送り終了位置Ｒ３ａまでの減速送り速度Ｖｓも、同じ速度に設定しなくてもよい。即ち、Ｖｉ＞Ｖｓの関係であれば、それぞれの速度を異ならせてもよい。
【００４３】
上述の実施の形態は、本開示における技術を例示するためのものであるから、特許請求の範囲またはその均等の範囲において種々の変更、置き換え、付加、省略などを行うことができる。
【産業上の利用可能性】
【００４４】
本開示は、光ディスクの製造装置、特に光ディスクの初期化装置として有用である。
【符号の説明】
【００４５】
１０１  光ディスク
１０２  基板
１０３  基板表面
１０４  第１記録層
１０５  光学分離層
１０６  光学分離層表面
１０７  第２記録層
１０８  光透過層
１０９  内周初期化領域
１１０  ＢＣＡ
１１１  外周初期化領域
２０１  ターンテーブル
２０２  スピンドルモータ
２０３  光ピックアップ
２０４  レーザ光源
２０５  ミラー
２０６  対物レンズ
２０８  ヘッド送り機構
２０９  制御部
【国際調査報告】
2013021557.tif 000012
2013021557.tif 000013